(57)【特許請求の範囲】
【請求項１】
長尺状の円管からなる棒状部材と、
長尺状の平板に、この平板の長尺方向に一定の間隔をおいて短尺方向に長い長孔を形成するとともに、この長孔の左右端部を上記棒状部材の外径より少し大きい程度の半円状に形成し、上記平板を、上記長孔の途中を通過する長手方向に平行な折り曲げ線に沿って平板を同方向に屈曲し、上記長孔の中央部分を含む背板部及び上記長孔の両端部分を含む側板部を形成し、上記長孔に基づく凹部が長尺方向に一定間隔をおいて設けられた保持部材と、
上記保持部材の背板部に沿って取り付けられ、上記各凹部内に上記棒状部材を保持する長尺状の当て部材と、を有し、
上記棒状部材は、上記保持部材の凹部に嵌め込んだ状態で、その一部が上記背板部の表面部から僅かに突出し、この棒状部材を上記当て部材で押圧した状態で止着具を用いて当て部材を保持部材の背板部に取り付けたことを特徴とする建築用格子材。
【発明の詳細な説明】
【０００１】
【発明の属する技術分野】
本発明は、簾或いは間仕切り等に用いられる建築用格子材に関する。
【０００２】
【従来の技術】
建築用格子材は、外部からの光、風をやわらげ目隠し的役目も大きい簾、或いは部屋の間仕切り用として、住宅、商業施設、宿泊施設或いは公共施設などにおいて需要が高まっている。図７は、建築用格子材４０を用いた簾を示したものである。この建築用格子材４０は、アルミニウム製のパイプ４１と、これらパイプ４１を連結する連結棒４２、この連結棒４２に嵌め込んでパイプ４１間の間隔を維持するカラー４３、及びナット部材４４有している。
【０００３】
上記建築用格子材４０を組み立てる場合には、最下端部のパイプ４１の筒内に、ナット部材４４を補助具を用いて押し込んでパイプ４１の孔の位置まで運び、この状態で連結棒４２の先端部をパイプ４１の孔内に挿入し、連結棒４２の先端のネジ部をナット部材４４に螺合する。パイプ４１の他の箇所についても同様に連結棒４２を取り付ける。次に連結棒４２に順次カラー４３とパイプ４１を嵌め込み、最後のパイプ４１の上部で連結棒４２の上端部をかしめて仕上げる。
【０００４】
この建築用格子材４０を建物に取り付ける場合には、同図に示すように、軒或いは天井の下面部の数カ所にヒートン５１を固定し、これからワイヤーロープ５２を垂らし、この下端部に竿縁レール５３をロープアジャスト５４を介して吊り下げる。そして、この竿縁レール５３の下部に複数のスライド受け５５を係止させ、このスライド受け５５のフックに建築用格子材４０の上端部のパイプ４１を引っかけて取り付ける。
【０００５】
【発明が解決しようとする課題】
さて、上記建築用格子材４０は、特にパイプ４１間にカラー４３を介在させて連結棒４２を挿通する構造であることから、組立作業が緻密かつ複雑であり、また部品点数も多く、このため部品コスト及び作業コストが高いという問題がある。
【０００６】
また、この建築用格子材４０は、パイプ４１を単に細い連結棒４２で連結した形態であるため、これを建物に取り付ける場合には、上述したように竿縁レール５３及びロープアジャスト５４等の多くの補助具を用いる必要があり、取付け構造が複雑である。また、建築用格子材４０は、構造が繊細であるため強度上の問題から、屋外の風が強い場所等での使用には不向きであるという問題がある。
【０００７】
本発明は、上記問題点に鑑みてなされたものであり、経済性及び施工性に優れしかも十分な強度が確保された建築用格子材を提供することを目的とする。
【０００８】
【課題を解決するための手段】
以上の技術的課題を解決するため、本発明に係る建築用格子材は、図１に示すように、背板部とこの両側から同方向に屈曲形成される側板部を有し、この背板部から両側板部を切欠いて形成された凹部が長尺方向に所定間隔をおいて設けられた保持部材３と、上記保持部材３の各凹部６に嵌め込まれ、この保持部材３と交差して配置される棒状部材２と、上記保持部材３の背板部に沿って取り付けられ、上記各凹部６内に棒状部材２を保持する長尺状の当て部材４と、を有する構成である。
【０００９】
また、本発明に係る建築用格子材は、長尺状の平板に、この平板の長尺方向に所定の間隔をおいて短尺方向に長い長孔を形成し、この平板の長尺方向に定めた長孔の途中を通過する左右の折り曲げ線に沿って、平板を同方向に屈曲し、上記長孔の中央部分を含む背板部と、長孔の両端部分を含む側板部とを形成し、上記長孔に基づく凹部が長尺方向に所定間隔をおいて設けられた保持部材３と、上記保持部材３の各凹部６に嵌め込まれ、この保持部材３と交差して配置される棒状部材２と、上記保持部材３の背板部に沿って取り付けられ、上記各凹部６内に棒状部材２を保持する長尺状の当て部材４と、を有する構成である。
【００１０】
これに加えて、上記棒状部材２は、上記保持部材３の凹部６に嵌め込んだ状態で、その一部が上記背板部の表面部から僅かに突出し、この棒状部材２を上記当て部材４で押圧した状態で当て部材４を保持部材３の背板部に取り付けた構成である。
【００１１】
【発明の実施の形態】
以下本発明に係る建築用格子材の実施の形態を図面に基づいて説明する。
図１は、上記建築用格子材の一部を示したものである。この建築用格子材１は、パイプ部材２、パイプ部材２を嵌入する凹部６が一定間隔に設けられた溝形状の連双部材３、及びこの連双部材３にパイプ部材２を押圧固定する当て板材４を有する。
【００１２】
上記パイプ部材２は、アルミニウム、アルミニウム合金製或いはステンレス鋼製の真っ直ぐな長尺状の円管である。パイプ部材２は、連結、軽量化等のため中空の棒状としているが、端部が閉塞されたもの、或いは内部が充填された棒状のものであっても差し支えない。この建築用格子材１を建物に取り付ける際には、同図に示す支持部材５を当て板材４に固定して用いる。また、他の建築用格子材１との連結のために、合成樹脂製のジョイント部材７を用いる。
【００１３】
上記連双部材３は、ステンレス鋼製、或いはアルミニウム製等の板材を溝形に屈曲成形したものである。この連双部材３の製造に際しては、先ず図２（ａ）に示すように、長尺状の板材１０に一定間隔をおいて、短尺方向に長い長孔１１を穿設する。そして、この板材１０を、長孔１１の途中を通過する長手方向に平行な折り曲げ線１２ａ，ｂに沿って直角に屈曲する。こうして、図２（ｂ）に示すように、上記長孔１１の中央部分を含む背板部１３と、長孔１１の両端部分を含む側板部１４ａ，ｂとを有し、上記長孔１１に基づく凹部６が一定間隔に形成された連双部材３を得る。
【００１４】
上記長孔１１の形状は、左右端部がパイプ部材２の外径より少し大きい程度の半円状１７ａ，ｂに形成され、また、上記屈曲により形成される側板部１４ａ，ｂの凹部６は、この凹部６内にパイプ部材２が嵌入でき、かつパイプ部材２の一端が僅かに背板部１３の表面部から突出する程度としている。この実施の形態では、パイプ部材２の直径を９ｍｍとし、半円部１７ａ，ｂの直径は９．５ｍｍ、また上記パイプ部材２が背板部１３から突出する程度は０．５ｍｍとした。
【００１５】
図２（ｃ）に示すように、上記当て板材４は、ステンレス鋼製或いはアルミニウム製等の長尺状の板材であり、その幅は連双部材３の背板部１３とほぼ同程度である。この当て板材４には、所定間隔をおいて孔２１が設けられており、この孔２１に対応する連双部材３の背板部１３には、ネジ孔２２が設けられている。
【００１６】
建築用格子材１の組立に際しては、先ず図２（ｃ）に示すように、上記連双部材３に形成された凹部６にパイプ部材２を順に嵌め込む。この状態で、パイプ部材２の一端部が連双部材３の背板部１３の表面部から少し突出する。そして、上記当て板材４を連双部材３の背板部１３に配置し、ビス２３を当て板材４から挿通し背板部１３に締めつけて固定する。この際、背板部１３と当て板材４との間には、図３に示すパイプ部材２の突出高さ（Ｈ）に相当する締めつけ代が形成されていることから、締めつけにより当て板材４がパイプ部材２を押圧し、パイプ部材２は凹部６に押圧固定されガタつくことはない。
【００１７】
上記支持部材５は、建築用格子材１の補強材、かつ建築用格子材１を建物等に取り付ける場合の補助部材として用いる。この支持部材５は、ステンレス鋼製或いはアルミニウム製等の断面矩形状の長尺状の角管等、剛性のあるものを用いる。この場合、例えば、当て板材４の厚さを厚くし、或いは当て板材４として角管等を用いて当て板材４自体を補強することで、特に支持部材５等の補強材を用いないで、これらの当て板材４を延設して建物等に固定する形態をとることもできる。
【００１８】
上記建築用格子材１は必要なサイズに形成されるが、規格サイズのものを、パイプ部材２の長手方向、或いは連双部材３の長手方向に複数連結して用いることもできる。建築用格子材１をパイプ部材２の方向に延設する場合は、上記ジョイント部材７を適宜に選んだパイプ部材２の端部に差し込んで隣接する建築用格子材１のパイプ部材２と連結する。また、建築用格子材１同士を連双部材３の長手方向に連結する場合には、上記支持部材５に、各建築用格子材１の当て板材４を並べて取り付ける。一の建築用格子材１としては、例えば、上記凹部６が２０〜４０箇所程度形成された連双部材３を３本程度、２ｍ程度の長さのパイプ部材２及び当て板材４を用いた程度とする。
【００１９】
図３は、建築用格子材１を建物の周囲或いはその一部に取り付ける場合の形態を示したものである。この形態では、建築用格子材１に所定の間隔をおいて配置される当て板材４の半数（一つ置き）に支持部材５を取り付けている。この支持部材５は当て板材４の背部に固定され、連双部材３の背板部１３と当て板材４とを貫通する孔を設け、この孔にビス２４を挿通して支持部材５を螺着する。そして、支持部材５の端部を建物等に固定して建築用格子材１を取り付ける。
【００２０】
上記建築用格子材１は、その用途として、簾、間仕切り、柵、垣根或いは目隠し等に用いることができる。また、これら用途に加えて、パイプ部材２の風格を生かした装飾用としての利用価値が期待できる。
【００２１】
図４は、上記建築用格子材１を簾に用いた形態を示したものである。この簾は、建物の軒先或いは窓際に取り付けられたものであり、当て板材４の一つ置きに支持部材５を取り付け、この支持部材５を建築用格子材１から上方に突き出し、その先端部を、軒先に取り付けたブラケット３１にボルト等の止着具を用いて固定する。
【００２２】
上記図４に示す形態の建築用格子材１を、建物屋内の天井に取り付けることにより、天井の間仕切りとして使用することができる。また、例えば、建築用格子材１に取り付けた支持部材５を下方に突き出して、これを躯体等に固定することで、建物屋内の間仕切りとして使用することができる。
【００２３】
図５は、上記建築用格子材１を柵に用いた形態を示したものである。この形態では、パイプ部材２の向きを縦方向に配置し、その上下の２箇所を連双部材３と当て板材４で止着している。建築用格子材１の取付けに際しては、躯体に所定の間隔で支柱３２を立設し、建築用格子材１の当て板材４に支持部材５を取り付け、この支持部材５をボルト等の止着具を用いて支柱３２に固定する。この図５に示す建築用格子材１の取付け形態は、建物屋内の間仕切りにも適用することができる。
【００２４】
他に、図６に示すように、上記建築用格子材１を、建物の廊下したの目隠しとして利用することができる。この取付け形態では、例えば、当て板材４に取り付けた支持部材５の上端部を廊下の下面に固定し、支持部材５の下端部を基礎面に設けた土台３３に固定する。なお、この目隠しとして使用される建築用格子材１は、パイプ部材２同士の間隔が比較的狭い形態である。
【００２５】
従って上記実施の形態に係る建築用格子材１によれば、連双部材３の凹部６にパイプ部材２を嵌めて当て板材４で止着する、という部品点数の少ない簡単な構成を採用していることから、部品コストが低減され、また組立が簡単であることから製造コストが全体的に低減し、経済性に優れる。
【００２６】
また、建物等への施工に際しても、支持部材５を用いることで簡単に建築用格子材１の取り付けが行えて施工性にも優れ、併せて、簾、間仕切り、柵、垣根、目隠し等、用途も広い。さらに、連双部材３及び当て板材４によって建築用格子材１の骨格が形成されるので、強度性及び耐久性的にも優れ、環境の悪い屋外での使用にも適する。
【００２７】
【発明の効果】
以上説明したように、本発明に係る建築用格子材によれば、凹部が長尺方向に所定間隔をおいて設けられた保持部材と、この凹部に嵌め込まれる棒状部材と、凹部内に棒状部材を保持する長尺状の当て部材とを有する構成を採用したから、構成が簡単で部品点数が少ないことから、部品コストが低減され、また組立が簡単であることから製造コストが全体的に低減し、経済性に優れるという効果を奏する。
【００２８】
また、本発明に係る建築用格子材は、平板に形成された長孔に基づく凹部が長尺方向に所定間隔をおいて設けられた保持部材と、この凹部に嵌め込まれる棒状部材と、凹部内に棒状部材を保持する長尺状の当て部材とを有する構成を採用したから、構成が簡単で部品点数が少ないこと及び保持部材の製造が容易であることから、部品コストが低減され、また組立が簡単であることから製造コストが全体的に低減し、経済性に優れるという効果がある。
【００２９】
また、棒状部材を当て部材で押圧した状態で当て部材を保持部材の背板部に取り付ける構成としたから、当て部材の締めつけにより、棒状部材は凹部に確実に押圧固定されるという効果がある。
【図面の簡単な説明】
【図１】本発明の実施の形態に係る建築用格子材の部分構成図である。
【図２】実施の形態に係り、建築用格子材の製造過程を示す図であり、（ａ）は連双部材を形成する前の板材、（ｂ）は板材を屈曲形成した連双部材、（ｃ）は組み立て状態をそれぞれ表す。
【図３】実施の形態に係り、建築用格子材を建物の周囲等に取り付ける場合の形態を説明した図である。
【図４】実施の形態に係り、建築用格子材を簾に用いた形態を示す図である。
【図５】実施の形態に係り、建築用格子材を柵に用いた形態を示す図である。
【図６】実施の形態に係り、建築用格子材を建物の目隠に用いた形態を示す図である。
【図７】従来例に係る、建築用格子材を用いた簾の側面図である。
【符号の説明】
２  棒状部材（パイプ部材）
３  保持部材（連双部材）
４  当て部材（当て板材）
５  支持部材
６  凹部
【図１】
0003732387.tif 000002
【図２】
0003732387.tif 000003
【図３】
0003732387.tif 000004
【図４】
0003732387.tif 000005
【図５】
0003732387.tif 000006
【図６】
0003732387.tif 000007
【図７】
0003732387.tif 000008